【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
光軸に沿って物体側から順に、負の屈折力を有する第１レンズ群と、正の屈折力を有する第２レンズ群と、正の屈折力を有する第３レンズ群とを有し、広角端状態から望遠端状態にかけての変倍の際に、前記第１レンズ群と前記第２レンズ群との間隔が減少し、前記第２レンズ群と前記第３レンズ群との間隔が増加するように、前記第１レンズ群及び前記第２レンズ群が移動するズームレンズにおいて、
前記第２レンズ群は、２枚以上の正レンズと１枚の負レンズとから構成されており、
前記第２レンズ群中の少なくとも１枚の前記正レンズと前記負レンズとが、以下の条件式を満足することを特徴とするズームレンズ。
θｇＦ２ｐ＞０．６４−０．００１６・νｄ２ｐ
θｇＦ２ｎ＜０．６４−０．００１６・νｄ２ｎ
ただし、
θｇＦ２ｐ：前記第２レンズ群中の少なくとも１枚の前記正レンズの材質の部分分散比
νｄ２ｐ  ：前記第２レンズ群中の少なくとも１枚の前記正レンズの材質のｄ線（波長λ＝５８７．６ｎｍ）に対するアッベ数
θｇＦ２ｎ：前記第２レンズ群中の前記負レンズの材質の部分分散比
νｄ２ｎ  ：前記第２レンズ群中の前記負レンズの材質のｄ線（波長λ＝５８７．６ｎｍ）に対するアッベ数
【請求項２】
前記第２レンズ群中の少なくとも一つのレンズ面が非球面であることを特徴とする請求項１に記載のズームレンズ。
【請求項３】
前記第１レンズ群は、光軸に沿って物体側から順に、負レンズと正レンズとの２枚のレンズによって構成されており、
前記第１レンズ群における前記負レンズは非球面を備え、
以下の条件式を満足することを特徴とする請求項１又は請求項２に記載のズームレンズ。
０．５５＜（νｄ１ｎ−νｄ１ｐ）／νｄ１ｐ＜１．２
ただし、
νｄ１ｐ：前記第１レンズ群における前記負レンズの材質のｄ線（波長λ＝５８７．６ｎｍ）に対するアッベ数
νｄ１ｎ：前記第１レンズ群における前記正レンズの材質のｄ線（波長λ＝５８７．６ｎｍ）に対するアッベ数
【請求項４】
光軸に沿って物体側から順に、負の屈折力を有する第１レンズ群と、正の屈折力を有する第２レンズ群と、正の屈折力を有する第３レンズ群とを有し、広角端状態から望遠端状態にかけての変倍の際に、前記第１レンズ群と前記第２レンズ群との間隔が減少し、前記第２レンズ群と前記第３レンズ群との間隔が増加するように、前記第１レンズ群及び前記第２レンズ群が移動するズームレンズにおいて、
前記第２レンズ群は、光軸に対して略垂直な方向へ移動することで、ぶれによる結像位置の変位を補正する防振機能を有し、
以下の条件式を満足することを特徴とするズームレンズ。
１．８＜（１−β２Ｔ）・β３Ｔ＜２．４
ただし、
β２Ｔ：望遠端状態における前記第２レンズ群の結像倍率
β３Ｔ：望遠端状態における前記第３レンズ群の結像倍率
【請求項５】
前記第２レンズ群は、２枚以上の正レンズと１枚の負レンズとから構成されており、
前記第２レンズ群中の少なくとも１枚の前記正レンズと前記負レンズとが、以下の条件式を満足することを特徴とする請求項４に記載のズームレンズ。
θｇＦ２ｐ＞０．６４−０．００１６・νｄ２ｐ
θｇＦ２ｎ＜０．６４−０．００１６・νｄ２ｎ
ただし、
θｇＦ２ｐ：前記第２レンズ群中の少なくとも１枚の前記正レンズの材質の部分分散比
νｄ２ｐ  ：前記第２レンズ群中の少なくとも１枚の前記正レンズの材質のｄ線（波長λ＝５８７．６ｎｍ）に対するアッベ数
θｇＦ２ｎ：前記第２レンズ群中の前記負レンズの材質の部分分散比
νｄ２ｎ  ：前記第２レンズ群中の前記負レンズの材質のｄ線（波長λ＝５８７．６ｎｍ）に対するアッベ数
【請求項６】
前記第２レンズ群中の少なくとも一つのレンズ面が非球面であることを特徴とする請求項４又は請求項５に記載のズームレンズ。
【請求項７】
前記第１レンズ群は、光軸に沿って物体側から順に、負レンズと正レンズとの２枚のレンズによって構成されており、
前記第１レンズ群における前記負レンズは非球面を備え、
以下の条件式を満足することを特徴とする請求項４から請求項６のいずれか一項に記載のズームレンズ。
０．５５＜（νｄ１ｎ−νｄ１ｐ）／νｄ１ｐ＜１．２
ただし、
νｄ１ｎ：前記第１レンズ群における前記負レンズの材質のｄ線（波長λ＝５８７．６ｎｍ）に対するアッベ数
νｄ１ｐ：前記第１レンズ群における前記正レンズの材質のｄ線（波長λ＝５８７．６ｎｍ）に対するアッベ数
【請求項８】
開口絞りは、前記第２レンズ群中又は、前記第２レンズ群近傍に配置されていることを特徴とする請求項１から請求項７のいずれか一項に記載のズームレンズ。
【手続補正２】
【補正対象書類名】明細書
【補正対象項目名】００１３
【補正方法】変更
【補正の内容】
【００１３】
また本発明のズームレンズは、
前記第１レンズ群は、光軸に沿って物体側から順に、負レンズと正レンズとの２枚のレンズによって構成されており、
前記第１レンズ群における前記負レンズは非球面を備え、
以下の条件式（３）を満足することが望ましい。
（３）  ０．５５＜（νｄ１ｎ−νｄ１ｐ）／νｄ１ｐ＜１．２
ただし、
νｄ１ｎ：前記第１レンズ群における前記負レンズの材質のｄ線（波長λ＝５８７．６ｎｍ）に対するアッベ数
νｄ１ｐ：前記第１レンズ群における前記正レンズの材質のｄ線（波長λ＝５８７．６ｎｍ）に対するアッベ数
【手続補正３】
【補正対象書類名】明細書
【補正対象項目名】００１７
【補正方法】変更
【補正の内容】
【００１７】
また本発明のズームレンズは、
前記第１レンズ群は、光軸に沿って物体側から順に、負レンズと正レンズとの２枚のレンズによって構成されており、
前記第１レンズ群における前記負レンズは非球面を備え、
以下の条件式（３）を満足することが望ましい。
（３）  ０．５５＜（νｄ１ｎ−νｄ１ｐ）／νｄ１ｐ＜１．２
ただし、
νｄ１ｎ：前記第１レンズ群における前記負レンズの材質のｄ線（波長λ＝５８７．６ｎｍ）に対するアッベ数
νｄ１ｐ：前記第１レンズ群における前記正レンズの材質のｄ線（波長λ＝５８７．６ｎｍ）に対するアッベ数
また本発明のズームレンズは、開口絞りが、前記第２レンズ群中又は、前記第２レンズ群近傍に配置されていることが望ましい。
【手続補正４】
【補正対象書類名】明細書
【補正対象項目名】００２４
【補正方法】変更
【補正の内容】
【００２４】
また本発明の好ましい態様によれば、本発明のズームレンズは、前記第１レンズ群は、光軸に沿って物体側から順に、負レンズと正レンズとの２枚のレンズによって構成されており、前記第１レンズ群における前記負レンズは非球面を備え、以下の条件式（３）を満足することが望ましい。
（３）  ０．５５＜（νｄ１ｎ−νｄ１ｐ）／νｄ１ｐ＜１．２
ただし、
νｄ１ｎ：前記第１レンズ群における前記負レンズの材質のｄ線（波長λ＝５８７．６ｎｍ）に対するアッベ数
νｄ１ｐ：前記第１レンズ群における前記正レンズの材質のｄ線（波長λ＝５８７．６ｎｍ）に対するアッベ数
【手続補正５】
【補正対象書類名】明細書
【補正対象項目名】００３３
【補正方法】変更
【補正の内容】
【００３３】
また本発明の好ましい態様によれば、また本発明のズームレンズは、前記第１レンズ群が、光軸に沿って物体側から順に、負レンズと正レンズとの２枚のレンズによって構成されており、前記第１レンズ群における前記負レンズは非球面を備え、以下の条件式（３）を満足することが望ましい。なお、条件式（３）についての説明は上述のとおりであるため省略する。
（３）  ０．５５＜（νｄ１ｎ−νｄ１ｐ）／νｄ１ｐ＜１．２
ただし、
νｄ１ｎ：前記第１レンズ群における前記負レンズの材質のｄ線（波長λ＝５８７．６ｎｍ）に対するアッベ数
νｄ１ｐ：前記第１レンズ群における前記正レンズの材質のｄ線（波長λ＝５８７．６ｎｍ）に対するアッベ数